(57)【要約】【課題】  実用性に加えてファッション性が高く、今時の若者の腰部に携帯させて有用なファッションタオルを提供する。【解決手段】  デザインされた各種、各様のタオル本体と、該タオル本体を前記若者の腰部に取付けるためのデザインされた自由長の各種紐材とを有し、前記タオル本体を、前記若者の腰部又は前記腰部のベルト、或いはズボンのベルト止め部に対し、前記紐材を介して自由に選択させてファッション取付けさせることを特徴とするファッションタオル。【選択図】      図１
2005160809.tif 000002
【特許請求の範囲】
【請求項１】
比較的小形に形成されたタオルを着脱自在の態様で若者の腰部に取付け、タオルをいつでも使用可能とする実用性に加えてファッション性を付加して成る若者向けのファッションタオルであって、
デザインされたタオル本体と、該タオル本体を前記若者の腰部に取付けるためのデザインされた自由長の紐材とを有し、
前記タオル本体を、前記若者の腰部又は前記腰部のベルト、或いはズボンのベルト止め部に対し、前記紐を介して自由にファッション取付けさせることを特徴とするファッションタオル。
【発明の詳細な説明】
【技術分野】
【０００１】
本発明は、通常のタオルに対し比較的小形に形成されたタオルを、着脱自在の態様で若者の腰部に取付け、タオルをいつでも使用可能とする実用性に加え、若者に対してのファッション性を付加して成るファッションタオルに関する。
【背景技術】
【０００２】
近年、特開2002-228243号（釣り用タオル）、特開2003-70946号公報（ゴルフ用品の携帯拭き具）、実開昭55-120394号公報（係止具付汎用円形タオル）、実開昭54-54485号公報（タオル）、実開昭48-72070号公報（吊下げタオル）に見られるように、比較的小形のタオルを着脱自在の態様で人の腰部に取付けることが行われるようになってきた。
【０００３】
特開2002-228243号公報の釣り用タオルは、魚を掴む際にヌメリによる滑りを防止するため、タオルを掛け止めるＤ型の環状部材による掛止具と、その係止具を着脱自在に保持する面ファスナを用いて作った保持具とを有する釣り用タオルであって、保持部をベルトや衣服等の所要場所に取付け、保持部からタオルを吊下げ、必要時にタオルを引張ることにより、係止部が保持部から外れ、面ファスナーの接合が外れて、タオルが自由に使用可能となるというものである。
【０００４】
特開2003-70946号公報のゴルフ用品の携帯拭き具は、ゴルフプレイ中に使用しているゴルフボールやゴルフクラブが泥等で汚れた場合に、その汚れを簡易に拭い取るため、タオルを収脱自在の筒状ケースを用い、タオルを付けた紐を前記筒を通してズボンのベルトにクリンチ可能なクリップに連結し、クリップ近くの紐を引くことにより、前記タオルを前記筒状ケース内に収納できるようにしたものである。ズボンに筒状ケースを吊下げた状態であるので、汚れたタオルによってズボンが汚れることがない。
【０００５】
実開昭55-120394号公報の係止具付汎用円形タオルは、円形のタオルの中心に輪状紐を取付け、輪状紐の輪内を係止具に固定し、そのフック部分を被係止部分に引掛け係止するようにしたものである。
【０００６】
実開昭54-54485号公報のタオルは、タオルの中央部にタオル吊下げ手段を設け、中央部から吊下げるようにしたものである。吊り下げ手段の例としては、ベルベット式ファスナを備えた帯状連結片の中央部をタオル中央部に縫い付けたものの例が示されている。従って、帯状連結片をズボンのベルト止め部に通し、ファスナ相互を接合することにより、ズボン等に固定することができる。
【０００７】
実開昭48-72070号公報の吊り下げタオルは、タオル布片の中心にホック等の係止手段を設け、これに別のホック等を備えたリング状の提げ輪をホック係合させ、提げ輪を適宜のものに吊下げ可能としたタオルで、タオル布片は、円錐形ケースの中へすぼめて収納できるようになっている。
【０００８】
このように、従来より、比較的小形のタオルを着脱自在の態様で人の腰部に取付けることは行われているが、ファッション性に欠け、特に若者向きでないという問題点があった。タオルが必要となるのは瞬時、時々のことであり、常時腰に取付け携帯させるためには、特に若者達にとって相応のファッション性が必要である。従来の腰付け用のタオルは、いずれも実用上の観点から、着脱自在とはされているが、今時の若者に対してはファッション性に欠け、ファッションタオルとして腰に携帯させることはできなかった。
【特許文献１】特開2002-228243号公報、第1頁、図1
【特許文献２】特開2003-70946号公報、第1頁、図1
【特許文献３】実開昭55-120394号公報、第1頁、図1
【特許文献４】実開昭54-54485号公報、第１頁、図１
【特許文献５】実開昭48-72070号公報、第１頁、図１
【発明の開示】
【発明が解決しようとする課題】
【０００９】
本発明は、街の中を歩く若者達、スケートボード等のスポーツを楽しむ若者等、様々の若者が、汗をかいたとき、或いは何かが汚れたときに瞬時、時々使うことのできる実用性の高いタオルを、ファッション性を持たせて違和感なく喜んで携帯させることができるファッションタオルを提供することを目的とする。
【課題を解決するための手段】
【００１０】
上記課題を解決することができる本発明のファッションタオルは、比較的小形に形成されたタオルを着脱自在の態様で若者の腰部に取付け、タオルをいつでも使用可能とする実用性にファッション性を付加して成る若者向けのファッションタオルであって、
デザインされたタオル本体と、該タオル本体を前記若者の腰部に取付けるためのデザインされた自由長の紐材とを有し、
前記タオル本体を、前記若者の腰部又は前記腰部のベルト、或いはズボンのベルト止め部に対し、前記紐を介して自由にファッション取付けさせることを特徴とする。
【００１１】
本発明では、デザインされた比較的小形のタオルを用いる。デザインのされ方は、従来のハンカチ風の物を含めて種々設計できるが、大まかに分類すると、丸、三角、四角でその一角を吊下げる形のもの、長方形で二つ折りにして吊下げられるもの、或いはプリーツ方式にて一辺を折り畳みまとめて吊下げる形のもの等の例がある。各種形状、デザインのものを各種準備し、選択可能にすることで、ファッションに個性を持たせることができる。
【００１２】
取付け用の金具は、特に必要としないが、タオルの一角に穴を明ける場合や、中間接合材として適宜設けられることも有る。金具類を用いる場合、特にファッション性に注意して、好ましくは小形のもの、或いは特別に安全設計されたものであることが必要である。
【００１３】
本発明では、自由長の紐材を必須要件とする。自由長とは、縛り方、止め方等を利用者の好みに応じて利用できるよう、腰部の回り、肩掛け、ズボンのバンド、バンドの止め部等に掛け回して結べるよう、必要十分な長さ以上の長さに定める。腰の回り、肩掛け用のものにあっては、２ｍ程度、ハンド類に掛け止めるためのものにあっては５０ｃｍ程度の長さとし、これをタオル本体に添えたシステム商品とする。長過ぎる紐は、不用部分を切断して好みに応じて利用されて良い。
【００１４】
本発明では、デザインされた紐材がファッションの一部を構成する。また、紐材の種別を選択可能とすることでファッション性を増し、かつタオル本体の形状デザインと組み合せて選択させることで、ファッション性を更に高めることができる。デザインされたタオル本体を止めた紐は、肩や、腰、或いはバンド回りに巻かれ、利用者の好みに応じて結ばれる。腰の回りで蝶結びされるのも1つのファッションで、肩掛けされるのも１つのファッションである。これらのため、紐材は、色どりよく選択される。樹脂テープや皮紐が用いられる。紐種や色どりを利用者に選択可能に提供する。選択利用可能な紐材の選択項目一覧を次表に示す。
【表１】
2005160809.tif 000003
【００１５】
本発明では、上記の如くデザインされたタオル本体を、表１に示すデザインされた紐材を用いて利用者の好みに応じ、肩や腰、ベルト、或いはズボンのベルト止め部に対し、自由にファッション取付けすることができる。最終結び目は、一般には蝶結びとなり、その部分も1つのファッションとなる。本ファッションタオルは、タオル生地を裁断、縫製することで、丸形、三角形、扇形等に形状を自由に変える事ができ、それらを選択自在とさせて、バラエティに富ませて利用させることができるので、利用者独自のファッションが表現できる。
【００１６】
かくして、若者の腰部に携帯されたタオルは、タオル及び紐が共にファッション化されて携帯され、瞬時的に、時々、タオルとして利用される。紐材の結びを外して腰部から分離することもできる。さらに、本発明では紐材を用いているので、突然の事故による止血作業等にも対応できる。加えて、本ファッションタオルを携帯することで、今までバックやポケット等に入れていたハンドタオルやウォッシュタオル、或いはハンカチ等を持ち運びする必要がなく、服装を軽快にできる。
【発明の効果】
【００１７】
以上の通り、本発明は、特許請求の範囲に記載の通りのファッションタオルであるので、デザインタオルとデザイン紐が利用者の好みに応じて携帯され、好みに応じて肩、腰、バンド、或いはズボンのバンド止め部にファッション化して、取付けることができ、特に若者向きとして利用可能となる。タオル及び紐が共に携帯されるので、瞬時、時々必要に応じてタオル又は紐を利用することができる。紐の結びは、利用者に寄るので、ファッション性を更に高くすることができる。金具は、極力用いないので、重量軽く、安全に携帯できる。
【発明を実施するための最良の形態】
【００１８】
以下、添付図面を参照して、本発明を実施するための最良の形態を説明する。
【００１９】
図１に示すように、本発明のファッションタオルは、若者の腰部１に取付けられて携帯される。ファッションタオルは、デザインされたタオル本体２ａと、デザインされた長尺の紐３ａ及び短い紐４ａとで成る。タオル本体２ａは、ハンカチ風の四角のタオルの一隅に穴を設け、その穴に短いテープ状の紐４ａを通すことができる形としている。
【００２０】
取付け方は、タオル本体３ａに設けた穴に短い紐４ａを通して輪を作り、これをテープ３ａに通し、テープ３ａを腰部１の回りに２回回し、終端を蝶結びしている。
【００２１】
利用者は、タオル本体２ａと、それに見合った紐３ａ、４ａを用いて、好みに応じて取り付けることができるので、自己に適したファッションとして利用することができる。タオル本体２ａは、紐３ａに付けたままで手を拭くことができる。また、短いテープ４ａの結びを外して取り外すこともできる。
【００２２】
図２に示す実施形態では、デザインされたタオル本体２ｂとして四角の一隅に穴５を明けたものを用いている。デザイン紐３ｂとしては、幅広のリボンを用いている。リボン型の紐３ｂを腰部に、又は肩にたすき掛けし、それに短いデザイン紐４ｂの輪を通し、腰部１に固定している。図１に示した紐３ａ、４ａに対し、別の紐４ａ、４ｂを用いる点で図１のものと似ているが、リボン型の紐３ｂを用いる点と、腰部１への掛け方が異なる。
【００２３】
このように、本例では、利用者の好みに応じ、腰部１への取付け方を定めることができる。紐の種類も自由に選べる。紐４ｂを穴５に通して輪を作り、金具は用いていない。
【００２４】
図３に示す実施形態では、紐３ｃとして皮ベルトを用いている。タオル本体２ｃとしては、図１又は図２で示したものと同様に四角の隅に穴５を明けたものの例で示す。図１又は図２で示した短い紐４ａ、４ｂは用いていない。本例では、穴５に皮紐３ｃを通し、紐３ｃを腰の回りに回し、その端を蝶結びして固定している。
【００２５】
図４に示す実施形態では、デザインされたタオル本体２ｄとして中心線ＣＬを堺として2つ折り可能な長尺の布地と、短い紐４ｄと、布製ワッカ６とで構成している。
【００２６】
タオル本体２ｄを中心線ＣＬを堺に２つ折りし、折った部分を束ねてワッカ６を通し、タオル本体２ｄの中心線ＣＬの所に紐４ｄを通し、この紐４ｄをバンド７の止め部８に通し、結んで固定している。
【００２７】
手や物を拭くときは、紐４ｄを結んだままで利用でき、紐４ｄの結びを解いて利用することもできる。ワッカ７は薄くて軽い金属とすることもできるが、安全性、軽快性の意味から布製のものの方が好ましい。
【００２８】
図５に示す実施形態では、一辺に多数の穴９を明けたタオル本体２ｅと、短い紐４ｅを用いている。タオル本体２ｅの穴９に紐４ｅを通してプリーツとし、紐４ｅをそこで１回結び又は結ばず、紐４ｅの端をバンド７の止め部８に通し、結ぶことにより、プリーツ状のタオル本体２ｅを腰部１の回りに固定することができる。
【００２９】
以上、図１〜図５に示したように、本発明のファッションタオルでは、デザインされたタオル本体２ａ、２ｂ、２ｃ、２ｅと、デザインされた紐３ａ、４ａ、３ｂ、４ｂ、３ｃ、４ｄ、４ｅやワッカ７を用いてこれらの組合わせによるファッションタオルを構成でき、自由なファッションを楽しみ、タオル本体を実用性を含めて利用させることができる。
【００３０】
上記実施形態では、フック金具や接合金具を一切利用しなかったが、本発明は、これら部品の使用を一切認めないというものではない。本発明では、デザインされたタオル本体の腰部への固定に関し、デザインされた紐を用いることを条件とするものであり、安全性を十分加味した上でこれら金具を併用するのは構わない。
【００３１】
本発明は、上記実施形態に限定されるものではなく、本発明の要旨を逸脱しない範囲で適宜設計的変更することが可能であり、各種態様で実施可能である。
【図面の簡単な説明】
【００３２】
【図１】本発明の一実施形態に係るファッションタオルを若者の腰に取付けた状態を示す正面図である。
【図２】図１に示すファッションタオルの紐の結び方を変えて示す説明図で、（a）図はリボン型紐を、（b）図は取付け状態を、（c）図はタオル本体の形状を示す。
【図３】本発明の他の実施形態を示し、（a）図は皮紐を、（b）図は腰部への取付け状態を示す。
【図４】本発明の更に他の実施形態を示し、（a）図は布製ワッカを、（b）図は取付け状態を、（c）図はタオル本体の形状を示す。
【図５】本発明のまた更に他の実施形態を示し、（a）図は取付け状態を、（b）図はタオル本体の形状を示す。
【符号の説明】
【００３３】
１  腰部
２ａ、２ｂ、２ｃ、２ｅ  タオル本体
３ａ、３ｂ、３ｃ  
４ａ、４ｂ、４ｄ、４ｅ
５、９  穴
６  ワッカ
７  バンド
８  止め部
ＣＬ  中心線
【図１】
2005160809.tif 000004
【図２】
2005160809.tif 000005
【図３】
2005160809.tif 000006
【図４】
2005160809.tif 000007
【図５】
2005160809.tif 000008